(57)【要約】【課題】柄の部分を収納できるとともに使用する際には扇の部分に対して動いてしまうのを防止できるうちわを提供する。【解決手段】うちわ１は、扇部２と、扇部２に連結部６で連結された柄部４と、を有し、柄部４は、柄部４を使用する時の使用位置と、柄部４を収納する時の収納位置との間で、扇部２の面内または面と平行な平行面内で、連結部６を中心に回動可能であり且つ面または平行面に垂直な垂直面内には回動可能でない。【選択図】図１
0003235111.tif 000002
【実用新案登録請求の範囲】
【請求項１】
扇部と、
前記扇部に連結部で連結された柄部と、を有するうちわであって、
前記柄部は、前記柄部を使用する時の使用位置と、前記柄部を収納する時の収納位置との間で、前記扇部の面内または前記面と平行な平行面内で、前記連結部を中心に回動可能であり且つ前記面または前記平行面に垂直な垂直面内には回動可能でない、
こと特徴とするうちわ。
【請求項２】
前記柄部の回動範囲を制限するための規制部を更に有する、
請求項１に記載のうちわ。
【請求項３】
前記規制部は、前記使用位置及び前記収納位置の両方において前記柄部に当接して前記柄部の回動を規制する壁部を有する、
請求項２に記載のうちわ。
【請求項４】
前記使用位置で、前記柄部が前記扇部に対して係合して固定される係合機構を更に有する、
請求項１から請求項３のいずれか１項に記載のうちわ。
【請求項５】
前記係合機構は、前記扇部及び前記柄部の一方に形成された突起と、前記扇部及び前記柄部の他方に形成され且つ前記突起を受け入れる凹部と、を有する、
請求項４に記載のうちわ。
【請求項６】
前記突起は前記扇部に形成され、前記凹部は前記柄部に形成され、前記柄部の前記凹部は、前記突起と係合可能なように可撓性を有する、
請求項５に記載のうちわ。
【請求項７】
前記柄部の回動範囲は、１８０°である、
請求項１から請求項６のいずれか１項に記載のうちわ。
【請求項８】
前記収納位置において、前記柄部は、全体が前記扇部の領域内に位置する、
請求項１から請求項７のいずれか１項に記載のうちわ。
【考案の詳細な説明】
【技術分野】
【０００１】
本考案は、うちわに関し、特に柄の部分を扇の部分に収納可能なうちわに関する。
【背景技術】
【０００２】
従来、うちわは、扇部分と柄部分とを有し、扇部分の骨と柄部分とが一体に形成されているものや、柄部分に扇部分を貼り付ける等によりうちわを構成しているものが多い。このような構造のうちわでは、柄部分が扇部分に対して固定されている。
特許文献１には、折りたたみ式またはスライド式の柄を有するうちわが記載されている。この文献に記載のうちわでは、柄が扇の部分に収納されるので、郵送時の破損等が防止される。
【先行技術文献】
【特許文献】
【０００３】
【特許文献１】実開平２−３３６２０号のマイクロフィルム
【考案の概要】
【考案が解決しようとする課題】
【０００４】
しかしながら、上記特許文献１に記載のようなうちわでは、折りたたみ式の柄の場合には、柄を伸ばしてうちわを使用する際、柄が折れやすくなり使用しにくい。またスライド式の柄の場合には、うちわを使用するうちに柄が扇の部分に戻ってしまいやすくなり、やはり使用しにくい。
近年、例えばコンサート等のイベントでうちわを使用する場合がある。複数枚のうちわをイベント会場まで持ち運ぶには柄の部分が邪魔になる。また、イベント会場でうちわを使用する際には、うちわを振ったりすることがあるため、柄の部分が丈夫であることも必要である。
【０００５】
本考案の目的は、柄の部分を収納できるとともに使用する際には扇の部分に対して動いてしまうのを防止できるうちわを提供することにある。
【課題を解決するための手段】
【０００６】
上記の目的を達成するために、本考案のうちわは、扇部と、扇部に連結部で連結された柄部と、を有するうちわであって、柄部は、柄部を使用する時の使用位置と、柄部を収納する時の収納位置との間で、扇部の面内または面と平行な面内で、連結部を中心に回動可能であり且つ面または平行面に垂直な垂直面内には回動可能でない、こと特徴としている。
【０００７】
このように構成された本考案においては、柄部が扇部に対して回動可能に設けられているので、柄部を回動させて収納位置に移動させることにより柄部を収納される。これによりうちわを持ち運びやすくなる。また柄部を使用位置に移動させることにより柄部を把持してうちわを使用可能になる。このとき、柄部は、扇部の面または扇部の面と平行な面と垂直面内に回動可能ではないので、柄部を把持してうちわを扇ぐように使用しても柄部が扇部に対して動くのが防止され、うちわを使いやすくなる。
【０００８】
本考案において、好ましくは、柄部の回動範囲を制限するための規制部を更に有する。
このように構成された本考案においては、規制部が設けられているので、柄部の回動範囲が制限され、柄部を使用位置、収納位置に移動させやすくなる。
【０００９】
本考案において、好ましくは、規制部は、使用位置及び収納位置の両方において柄部に当接して柄部の回動を規制する壁部を有する。
このように構成された本考案においては、規制部が使用位置及び収納位置の両方で柄部が当節する壁部を有するので、１つの壁部で使用位置及び収納位置の両方を規定することができ、簡単な構造で柄部の回動範囲が規制される。
【００１０】
本考案において、好ましくは、使用位置で、柄部が扇部に対して係合して固定される係合機構を更に有する。
このように構成された本考案においては、柄部が扇部に対して係合する係合機構を有するので、使用位置で柄部が扇部に対して固定される。したがって、うちわを使用する際に柄部が扇部に対して動いてしまうのを防止することができ、うちわが使いやすくなる。
【００１１】
本考案において、好ましくは、係合機構は、扇部及び柄部の一方に形成された突起と、扇部及び柄部の他方に形成され且つ突起を受け入れる凹部と、を有する。
このように構成された本考案においては、係合機構が突起及び凹部を有しているので、突起が凹部に受け入れられることによって柄部が扇部に対して係合し固定される。よってうちわを使用する際に柄部が扇部に対して動いてしまうのを確実に防止することができ、うちわが使いやすくなる。
【００１２】
本考案において、好ましくは、突起は扇部に形成され、凹部は柄部に形成され、柄部の凹部は、突起と係合可能なように可撓性を有する。
このように構成された本考案においては、扇部が突起を有し柄部が凹部を有し、柄部の凹部が可撓性を有するので、柄部を回動させると凹部がたわんで突起に係合する。柄部を回動させることで柄部が扇部に固定されるから、簡単な動作で柄部を使用位置に移動させて固定することが可能になる。
【００１３】
本考案において、好ましくは、柄部の回動範囲は、１８０°である。
このように構成された本考案においては、柄部の回動範囲が１８０°であるので、柄部を操作しやすく、使用位置及び収納位置がわかりやすい。
【００１４】
本考案において、好ましくは、収納位置において、柄部は、全体が扇部の領域内に位置する。
このように構成された本考案においては、収納位置において、柄部の全体が扇部の領域内に位置するので、柄部が扇部からはみ出ることがなく、うちわ全体が最小化される。また柄部が扇部からはみ出ないので、持ち運びが容易になる。
【図面の簡単な説明】
【００１５】
【図１】本考案の一実施形態に係るうちわの正面図である。
【図２】本考案の一実施形態に係るうちわの連結部の正面図である。
【図３】本考案の一実施形態に係るうちわの連結部の平面図である。
【図４】図３のIV-IV断面図である。
【図５】図２のV-V断面図である。
【図６】本考案の一実施形態に係るうちわの柄部が収納位置にあるときの正面図である。
【図７】本考案の一実施形態に係るうちわの柄部が収納位置にあるときの連結部の断面図である。
【考案を実施するための形態】
【００１６】
以下、本考案の好ましい実施形態を添付図面を参照して説明する。
図１は、本考案の一実施形態に係るうちわ１の正面図である。図１に示すように、うちわ１は、扇部２と、扇部２に連結された柄部４と、を有する。
扇部２は、従来のうちわのように骨組を有し、その骨組の両面に紙等の材料を貼り付けて構成されていてもよいし、骨組を有さず、紙やプラスチック等の材料のみで扇部を構成されていてもよい。
柄部２は、使用位置において扇部２から突出するように延びる棒状部材である。柄部２は、プラスチックや木材等、任意の可撓性を有する材料で構成される。柄部２は、連結部６によって扇部２に対して回動可能に取り付けられている。
【００１７】
図２は、本考案の一実施形態に係るうちわ１の連結部６の正面図であり、図３は、本考案の一実施形態に係るうちわ１の連結部６の平面図であり、図４は、図３のIV-IV断面図である。これらの図２ないし図４に示すように、連結部６は、扇部２の一方の面に取り付けられており、扇部２の面に接着剤等で固定された第１基部８と、第１基部８から所定距離をあけて平行に配置された第２基部１０と、を有する。第１基部８及び第２基部１０の間には、使用位置にある柄部４が延びる方向に沿って延びる辺のうちの一方において第１基部８及び第２基部１０を連結する壁部１２を有し、その結果、連結部６は、図３に示すように、略コ字形に形成されている。壁部１２の下方には、切欠部１４が形成されている。また、第１基部８と第２基部１０とを貫通するように回動軸１６が設けられている。
【００１８】
柄部４は、その上端に形成された貫通孔１８に連結部６の回動軸１６が挿通されることにより、回動軸１６を中心に回動可能に支持されている。これにより、柄部４は、図１に示すような、扇部２から突出して使用者が把持することができる使用位置と、図６に示すような、柄部４の全体が扇部２の面内に位置する収容位置との間で１８０°回動可能になっている。
また、柄部４は、扇部２の面を含む面に平行な平行面内で回動可能であるが、それ以外の面、特に平行面に垂直な垂直面内には回動できないようになっている。
【００１９】
また、うちわ１は、柄部４が使用位置にあるときに、柄部４を扇部２に対して固定するための係合機構１８を有する。
係合機構１８は、柄部４に形成された凹部２０と、連結部６に形成された突起２２とを有する。
図５は、図２のV-V断面図である。柄部４は、図５及び前述の図４に示すように、柄部４が使用位置にあるときに切欠部１４の位置に対応する位置に切欠部１４から突出する突出部２４を有し、凹部２０は、この突出部２４の扇部２側の面に、扇部２側に開口するように凹んだ状態で形成されている。
突起２２は、連結部６の切欠部１４に形成されており、第１基部８から第２基部１０に向かって突出するように形成されている。
【００２０】
上記のように構成された本実施形態に係るうちわ１は、以下のように使用される。
図６は、本考案の一実施形態に係るうちわ１の柄部４が収納位置にあるときの正面図であり、図７は、本考案の一実施形態に係るうちわ１の柄部４が収納位置にあるときの連結部６の断面図である。これらの図６及び図７に示すように、使用者がうちわ１を持ち運ぶ際には、柄部４を１８０°回動させて図６のような収納位置に位置させる。この収納位置では、柄部４は、図７に示すように連結部６の壁部１２に当接し、これにより柄部４のこれ以上の回動が防止される。したがって、壁部１２は、柄部４の回動範囲を制限するための規制部として機能する。
【００２１】
使用者がうちわ１を使用する際には、柄部４を回動させて、図１に示すような使用位置に位置させる。この使用位置では、柄部４は、図４に示すように連結部６の壁部１２に当接し、これにより柄部４のこれ以上の回動が防止される。したがって、壁部１２は、柄部４の回動範囲を制限するための規制部として機能する。
また、柄部４が収納位置から使用位置に移動するにつれ、係合機構１８の突出部２４が切欠部１４を通る。突出部２４の先端が突起２２に当たるが、柄部４は可撓性を有するのでたわんで突起２２を乗り越え、凹部２０が突起２２を受け入れる。これにより、突起２２が凹部２０に係合し、柄部４が連結部６を介して扇部２に固定される。
【００２２】
このように構成された本実施形態によれば、次のような優れた効果を得ることができる。
柄部が使用位置と収納位置との間で扇部の面と平行な平行面内で、使用位置と収納位置との間で連結部６の回動軸１６を中心に回動可能であるので、うちわ１を持ち運ぶときには柄部４を収納位置に移動させ、うちわ１を使用する際には、柄部４を使用位置に移動させることができる。よってうちわ１を容易に持ち運ぶことができる。
また、うちわ１の扇部２の面に平行な平行面に垂直な垂直面内には回動可能でないので、柄部４を使用位置に位置させてうちわ１を使用する際、通常内輪１を垂直面に沿って振るので、柄部４が収納位置に戻ってしまうのを防止することができ、うちわ１を使いやすくなる。
【００２３】
連結部６に壁部１２が設けられ、柄部４が使用位置、及び収納位置にそれぞれ移動する際に、柄部４が壁部１２に当接することでそれ以上の回動が防止される。よって使用者が柄部４を回動させるときに柄部４の使用位置及び収納位置がわかりやすく、柄部４を操作しやすい。
また、このとき一つの同じ壁部１２で使用位置及び収納位置の両方において柄部４の位置を規制するので、簡単な構造で柄部４の回動範囲を規制することができる。
更に、柄部４の回動範囲が１８０°になっているので、使用者が回動範囲を理解しやすく、よって柄部４を回動して使用位置または収納位置に移動させやすくなる。
【００２４】
突起２２及び凹部２０による係合機構１８を有しているので、使用位置において柄部４を扇部２に対して固定させることができる。これにより、うちわ１を使用しているときに柄部４が扇部２に対して動いてしまうのをより確実に防止することができ、うちわ１を使いやすくなる。
【００２５】
柄部４が可撓性を有する材料で構成されているため、柄部４が使用位置に回動して突出部２４が突起２２に当たった時、突出部２４がたわんで突起２２を乗り越え、突起２２を凹部２０に受け入れることができる。よって簡単な構造、及び簡単な操作で、柄部４を扇部２に対して固定することができる。
【００２６】
柄部４が収納位置にあるとき、柄部４の全体が扇部２の面の領域内に位置するので、柄部４が扇部２から突出することがなく、うちわ１を持ち運びやすい。
【００２７】
本考案は、以上の実施の形態に限定されることなく、例えば、以下のような態様であってもよい。
柄部の収納位置、使用位置は、任意に設定することができ、例えば、収納位置において柄部の全体が扇部の面の領域内に位置しなくてもよく、柄部の一部または全部が扇部の面の領域外に位置していてもよい。また使用位置についても、扇部に対して角度を有して配置されていてもよい。
柄部の回動範囲は１８０°に限らず、任意の回動角度に設定することができる。
【００２８】
係合機構は、必ずしも設けられていなくてもよく、また設けられている場合でも突起及び凹部の構造でなく任意の構造を採用することができる。
柄部は、可撓性を有する材料で構成され、突起に当たった時にたわむように構成されていたが、これに限らず他の構造によって突起と凹部が係合するように構成してもよい。
前述の実施形態では、突起が連結部に、凹部が柄部に形成されていたが、コレに限らず、凹部が連結部に、突起が柄部に形成されていてもよい。また、係合機構の一方が連結部に形成されて連結部を介して柄部を扇部に固定するものに限らず、係合機構の一方を扇部に形成して直接柄部を扇部に固定してもよい。
【符号の説明】
【００２９】
１  うちわ
２  扇部
４  柄部
６  連結部
１２  壁部
１８  係合機構
２０  凹部
２２  突起
【図１】
0003235111.tif 000003
【図２】
0003235111.tif 000004
【図３】
0003235111.tif 000005
【図４】
0003235111.tif 000006
【図５】
0003235111.tif 000007
【図６】
0003235111.tif 000008
【図７】
0003235111.tif 000009